【手続補正書】
【提出日】平成29年11月28日(2017.11.28)
【手続補正１】
【補正対象書類名】特許請求の範囲
【補正対象項目名】全文
【補正方法】変更
【補正の内容】
【特許請求の範囲】
【請求項１】
ネットワークサービスに接続するための接続手段と、
前記接続手段を介して接続可能なネットワークサービスの情報を取得する取得手段と、
ユーザからネットワークサービスへの接続が指示された場合に、前記取得手段により取得したネットワークサービスの情報に基づいて、接続先のネットワークサービスが対応しているファイルが画像処理装置の記録媒体に存在するか判定する判定手段と、
接続先のネットワークサービスが対応しているファイルが画像処理装置の記録媒体に存在しない場合には、当該ネットワークサービスへの接続を行わないように制御する制御手段と、を有することを特徴とする画像処理装置。
【請求項２】
接続先のネットワークサービスが対応しているファイルが画像処理装置の記録媒体に存在しないことにより、当該ネットワークサービスへの接続を行わないことを通知する通知手段をさらに有することを特徴とする請求項１に記載の画像処理装置。
【請求項３】
前記取得手段により取得したネットワークサービスの情報を記憶する記憶手段と、
前記設定されたネットワークサービスを表示する表示手段と、
前記表示されたネットワークサービスから接続先のネットワークサービスを選択するための選択手段と、をさらに有することを特徴とする請求項１または２に記載の画像処理装置。
【請求項４】
前記接続手段は、中継装置を介してネットワークサービスに接続可能であり、
前記中継装置に接続可能な情報処理装置により、前記画像処理装置がネットワークサービスを利用するための設定を行うことを特徴とする請求項１ないし３のいずれか１項に記載の画像処理装置。
【請求項５】
前記中継装置は、前記設定されたネットワークサービスの情報を記憶していることを特徴とする請求項４に記載の画像処理装置。
【請求項６】
前記ファイル情報は、動画と静止画のうち少なくともいずれかのファイルタイプを示す情報を含むことを特徴とする請求項１ないし５のいずれか１項に記載の画像処理装置。
【請求項７】
前記ファイル情報は、動画と静止画のうち少なくともいずれかのファイルサイズを示す情報を含むことを特徴とする請求項１ないし５のいずれか１項に記載の画像処理装置。
【請求項８】
前記ファイル情報は、動画と静止画のうち少なくともいずれかの被写体を示す情報を含むことを特徴とする請求項１ないし５のいずれか１項に記載の画像処理装置。
【請求項９】
画像を撮像する撮像手段をさらに有することを特徴とする請求項１ないし８のいずれか１項に記載の画像処理装置。
【請求項１０】
画像処理装置と情報処理装置とがネットワークを介して接続されたシステムであって、
前記情報処理装置は、
ネットワークサービスに接続するための接続手段と、
前記画像処理装置がネットワークサービスを利用するための設定を行う設定手段と、を有し、
前記画像処理装置は、
ネットワークサービスに接続するための接続手段と、
前記接続手段を介して接続可能なネットワークサービスの情報を取得する取得手段と、
ユーザからネットワークサービスへの接続が指示された場合に、前記取得手段により取得したネットワークサービスの情報に基づいて、接続先のネットワークサービスが対応しているファイルが画像処理装置の記録媒体に存在するか判定する判定手段と、
接続先のネットワークサービスが対応しているファイルが画像処理装置の記録媒体に存在しない場合には、当該ネットワークサービスへの接続を行わないように制御する制御手段と、を有することを特徴とするシステム。
【請求項１１】
ネットワークサービスに接続するための接続手段を有する画像処理装置の制御方法であって、
前記接続手段を介して接続可能なネットワークサービスの情報を取得するステップと、
ユーザからネットワークサービスへの接続が指示された場合に、前記取得したネットワークサービスの情報に基づいて、接続先のネットワークサービスが対応しているファイルが画像処理装置の記録媒体に存在するか判定するステップと、
接続先のネットワークサービスが対応しているファイルが画像処理装置の記録媒体に存在しない場合には、当該ネットワークサービスへの接続を行わないように制御するステップと、を有することを特徴とする画像処理装置の制御方法。
【請求項１２】
コンピュータを、請求項１ないし９のいずれか１項に記載された画像処理装置の各手段として機能させるためのプログラム。
【手続補正２】
【補正対象書類名】明細書
【補正対象項目名】０００７
【補正方法】変更
【補正の内容】
【０００７】
上記課題を解決するために、本発明の画像処理装置は、ネットワークサービスに接続するための接続手段と、前記接続手段を介して接続可能なネットワークサービスの情報を取得する取得手段と、ユーザからネットワークサービスへの接続が指示された場合に、前記取得手段により取得したネットワークサービスの情報に基づいて、接続先のネットワークサービスが対応しているファイルが画像処理装置の記録媒体に存在するか判定する判定手段と、接続先のネットワークサービスが対応しているファイルが画像処理装置の記録媒体に存在しない場合には、当該ネットワークサービスへの接続を行わないように制御する制御手段と、を有する。
【手続補正３】
【補正対象書類名】明細書
【補正対象項目名】００３０
【補正方法】変更
【補正の内容】
【００３０】
接続部１１１は、スマートフォン２００や中継サーバ３００などの外部装置と接続するためのインターフェースである。本実施形態のデジタルカメラ１００は、接続部１１１を介して、外部装置とデータの授受を行うことができる。なお、本実施形態では、接続部１１１は外部装置と無線で通信するための無線ＬＡＮ通信モジュールを含む。制御部１０１は、接続部１１１を制御することで外部装置との無線通信を実現する。なお、データを通信するためのプロトコルとしては、例えば、無線ＬＡＮを通じたＰＴＰ／ＩＰ（Ｐｉｃｔｕｒｅ  Ｔｒａｎｓｆｅｒ  Ｐｒｏｔｏｃｏｌ  ｏｖｅｒ  Ｉｎｔｅｒｎｅｔ  Ｐｒｏｔｏｃｏｌ）を用いることができる。なお、通信手段はこれに限られるものではない。例えば、接続部１１１は、赤外線通信モジュール、Ｂｌｕｅｔｏｏｔｈ（登録商標）通信モジュール、ＷｉｒｅｌｅｓｓＵＳＢなどの無線通信モジュールを含むことができる。さらには、ＵＳＢケーブルやＨＤＭＩ（登録商標）、ＩＥＥＥ１３９４などの有線接続手段を用いてもよい。
【手続補正４】
【補正対象書類名】明細書
【補正対象項目名】００３４
【補正方法】変更
【補正の内容】
【００３４】
接続部２１１は、デジタルカメラ１００や中継サーバ３００などの外部装置と無線で通信するための無線ＬＡＮ通信モジュールを含む。制御部２０１は、接続部２１１を制御することで外部装置との無線通信を実現する。なお、データを通信するためのプロトコルとしては、例えば、無線ＬＡＮを通じたＰＴＰ／ＩＰ（Ｐｉｃｔｕｒｅ  Ｔｒａｎｓｆｅｒ  Ｐｒｏｔｏｃｏｌ  ｏｖｅｒ  Ｉｎｔｅｒｎｅｔ  Ｐｒｏｔｏｃｏｌ）を用いることができる。なお、通信手段はこれに限られるものではない。例えば、接続部２１１は、赤外線通信モジュール、Ｂｌｕｅｔｏｏｔｈ（登録商標）通信モジュール、ＷｉｒｅｌｅｓｓＵＳＢなどの無線通信モジュールを含むことができる。さらには、ＵＳＢケーブルなどの有線接続手段を用いてもよい。
【手続補正５】
【補正対象書類名】明細書
【補正対象項目名】００４９
【補正方法】変更
【補正の内容】
【００４９】
Ｓ６００３でユーザが操作部２０５を介して連携設定を行いたいＷｅｂサービスの連携確認ページへのリンク７０４を選択すると、Ｓ６００４でスマートフォン２００はＷｅｂサービスサーバ４００にＷｅｂサービスの連携確認ページの取得要求を発行する。Ｗｅｂサービスサーバ４００はスマートフォン２００からＷｅｂサービスの連携確認ページの取得要求を受信すると、Ｓ６００５でスマートフォン２００へＷｅｂサービスのログインページを送信する。ここで、Ｗｅｂサービスサーバ４００からスマートフォン２００へ送信されるＷｅｂサービスのログインページは、例えば、スマートフォン２００に図７（ｃ）のように表示される。Ｓ６００６で、ユーザは操作部２０５により図７（ｃ）の画面のユーザ名入力テキストボックス７０６とパスワード入力テキストボックス７０７に、Ｗｅｂサービスに対応する情報を入力し、ログインボタン７０８を選択することでＷｅｂサービスサーバ４００のＷｅｂサービスへログインする。ここで、ユーザ名とパスワードは予め登録しておいた情報を用いる他に、新規登録ボタン７０９を選択し、新規に発行してもよい。
【手続補正６】
【補正対象書類名】明細書
【補正対象項目名】００５２
【補正方法】変更
【補正の内容】
【００５２】
以上の手順を実行することで、中継サーバ３００とＷｅｂサービスサーバ４００の間のＷｅｂサービスの連携設定が完了する。
【手続補正７】
【補正対象書類名】図面
【補正対象項目名】図３
【補正方法】変更
【補正の内容】
【図３】
2016115001.tif 000001
【手続補正８】
【補正対象書類名】図面
【補正対象項目名】図５
【補正方法】変更
【補正の内容】
【図５】
2016115001.tif 000002
【手続補正９】
【補正対象書類名】図面
【補正対象項目名】図９
【補正方法】変更
【補正の内容】
【図９】
2016115001.tif 000003